(57)【要約】【課題】低コストで、組立および分解が簡単で多様性を備える展示棚を提供する。【解決手段】一組の主板１０、展示機能ユニット２０および固定ユニット３０から構成される。固定ユニット３０を挿入することによって主板１０と展示機能ユニット２０とを接合固定して展示棚の構造が構成される。展示棚の構造の主板の取り外し可能な構造によって隣り合う展示棚の基本構造を接続し、固定ユニット３０を挿入して接合固定でき、様々な陳列形式に組み合わせることができる。【選択図】  図４
0003128994.tif 000002
【実用新案登録請求の範囲】
【請求項１】
複数の孔が設けられる主板と、
複数の前記主板の孔に対応する挿入舌が設けられ、前記挿入舌は主板の展示面から対応
する孔に挿入され、前記主板の組合せ面から突出する展示機能ユニットと、
前記展示機能ユニットの挿入舌上に位置する挿入固定孔に挿入され、前記挿入舌は前記
主板の対応する孔を貫通した後、前記主板の組合せ面から突出する固定ユニットと
を備えることを特徴とする組合せ式展示棚の構造。
【請求項２】
前記主板には、取り外し可能な折り曲げ面が設けられ、前記折り曲げ面には数個の孔が
設けられ、もう一つの固定ユニットが前記孔に挿入接合されるか、或いは前記主板の対応
する孔を貫通し、もう一つの前記主板の組合せ面から突出した展示機能ユニットの挿入舌
が対応する前記孔に挿入接合されることを特徴とする請求項１記載の組合せ式展示棚の構
造。
【請求項３】
前記展示機能ユニットは、挿入固定孔を有する挿入舌および取り外し可能なテーブル、
展示棚、側板、ポスター板または掛設用板を備えることを特徴とする請求項１または２記
載の組合せ式展示棚の構造。
【請求項４】
前記固定ユニットは、一つ以上の挿入片および数個の孔が設けられた固定ボックスを備
え、
前記挿入片は展示機能ユニットの挿入舌の挿入固定孔へ挿入されて固定を行うか、或いは
もう一つの挿入片と相互に嵌合固定され、
前記固定ボックスの孔には展示機能ユニットの挿入舌が嵌入され、前記挿入舌は前記主
板の対応する孔を貫通し、前記主板の組合せ面から突出し、もう一つの挿入片が前記挿入
舌の挿入固定孔に嵌合固定されることを特徴とする請求項１または２記載の組合せ式展示
棚の構造。
【請求項５】
前記固定ユニットは、一つ以上の挿入片および数個の孔が設けられた固定ボックスおよ
び数個の挿入舌を有する固定ストッパを備え、
前記挿入片は展示機能ユニットの挿入舌の挿入固定孔へ挿入されて固定を行うか、或いは
もう一つの挿入片と相互に嵌合固定され、
前記固定ボックスの孔には展示機能ユニットの挿入舌が嵌入され、前記挿入舌は前記主
板の対応する孔を貫通し、前記主板の組合せ面から突出し、もう一つの挿入片が前記挿入
舌の挿入固定孔に嵌合固定され、
前記固定ストッパの挿入舌はもう一つの主板の対応する孔および前記固定ボックスの孔
に挿入され、もう一つの挿入片が前記挿入舌の挿入固定孔に嵌合固定されることを特徴と
する請求項２記載の組合せ式展示棚の構造。
【請求項６】
固定ユニットは、一つ以上の挿入片および一つ以上の固定板を備え、
前記挿入片は展示機能ユニットの挿入舌の挿入固定孔へ挿入されて固定を行い、
前記固定板は前記展示棚の構造の上方または底部へ嵌入されることを特徴とする請求項
２記載の組合せ式展示棚の構造。
【請求項７】
前記固定ユニットは、一つ以上の挿入片を備え、前記挿入片は展示機能ユニットの挿入
孔に挿入されて固定を行うことを特徴とする請求項２記載の組合せ式展示棚の構造。
【請求項８】
前記主板には、通線孔が設けられ、前記通線孔には電源コードが挿通されることを特徴
とする請求項１または２記載の組合せ式展示棚の構造。 
【考案の詳細な説明】
【技術分野】
【０００１】
本考案は、展示棚の構造に関し、特に、直接挿入および抜き取りをすることができる固
定ユニットによって主板と各展示機能ユニットと組み合わせることができる組合せ式展示
棚の構造に関する。
【背景技術】
【０００２】
図１３は、従来技術による展示棚の構造を示す斜視図であり、棚板６０と繋がったフレ
ーム支持片７０上に掛合片７１が設けられ、支持フレーム５０の支持柱５２内に挿入固定
され、支持フレーム５０には支持台５１が設けられ、それによって全体の構造が直立した
構造となる。
【０００３】
しかし、この展示棚は全体の強度を高めるために金属材質を採用する必要があり、持ち
運びに不便であり、組立方法も単調であり、生産コストも高いなどの欠点を有する。また
、この支持台５１の設計では、展示物を置いたときに支持柱５２に掛かる作用力またはモ
ーメントを支持することができず、支持フレーム５０が変形してしまい、安定して直立さ
せることができない。
【０００４】
また、この展示棚は横方向または縦方向に連結させて長さを延伸することしかできず、
多辺形の形状に形成することができない。しかし、現在の室内装飾において、商品の設置
方法は非常に重要なことであり、商品陳列が単調である場合、消費者をひきつけることは
できない。従って、低コストで、組立および分解が簡単で多様性を備える展示棚を提供す
ることは社会の必要とすることであり、現在非常に重要な課題となっている。
【０００５】
本考案の考案者は、長年の経験に基づき、本考案の展示棚の構造を案出した。本考案は
、簡単に組立および分解を行うことができる以外に、様々な陳列形式に組み合わせること
ができる。
【特許文献１】日本国実用新案登録第２５９９２０７号公報
【考案の開示】
【考案が解決しようとする課題】
【０００６】
本考案の目的は、低コストで、組立および分解が簡単で多様性を備える展示棚の構造を
提供することにある。
【課題を解決するための手段】
【０００７】
上述の課題を解決するために、本考案は、一組の主板、展示機能ユニットおよび固定ユ
ニットを備える。主板上には数個の孔が設けられる。展示機能ユニットには数個の主板の
孔に対応する挿入舌が設けられ、挿入舌は主板の展示面の対応する孔に挿入され、主板の
組合せ面から突出する。固定ユニットは挿入固定孔に挿入されて固定を行い、挿入固定孔
は展示機能ユニットの挿入舌上に位置し、主板の対応する孔を貫通し、主板の組合せ面か
ら突出する。
【０００８】
すなわち、本考案は下記のとおりの構造を有することを特徴とする。
（１）複数の孔が設けられる主板と、複数の前記主板の孔に対応する挿入舌が設けられ、
前記挿入舌は主板の展示面から対応する孔に挿入され、前記主板の組合せ面から突出する
展示機能ユニットと、前記展示機能ユニットの挿入舌上に位置する挿入固定孔に挿入され
、前記挿入舌は前記主板の対応する孔を貫通した後、前記主板の組合せ面から突出する固
定ユニットとを備えることを特徴とする組合せ式展示棚の構造。
【０００９】
（２）前記主板には、取り外し可能な折り曲げ面が設けられ、前記折り曲げ面には数個の
孔が設けられ、もう一つの固定ユニットが前記孔に挿入接合されるか、或いは前記主板の
対応する孔を貫通し、もう一つの前記主板の組合せ面から突出した展示機能ユニットの挿
入舌が対応する前記孔に挿入接合されることを特徴とする上記（１）記載の組合せ式展示
棚の構造。
【００１０】
（３）前記展示機能ユニットは、挿入固定孔を有する挿入舌および取り外し可能なテーブ
ル、展示棚、側板、ポスター板または掛設用板を備えることを特徴とする上記（１）また
は（２）記載の組合せ式展示棚の構造。
【００１１】
（４）前記固定ユニットは、一つ以上の挿入片および数個の孔が設けられた固定ボックス
を備え、前記挿入片は展示機能ユニットの挿入舌の挿入固定孔へ挿入されて固定を行うか
、或いはもう一つの挿入片と相互に嵌合固定され、前記固定ボックスの孔には展示機能ユ
ニットの挿入舌が嵌入され、前記挿入舌は前記主板の対応する孔を貫通し、前記主板の組
合せ面から突出し、もう一つの挿入片が前記挿入舌の挿入固定孔に嵌合固定されることを
特徴とする上記（１）または（２）記載の組合せ式展示棚の構造。
【００１２】
（５）前記固定ユニットは、一つ以上の挿入片および数個の孔が設けられた固定ボックス
および数個の挿入舌を有する固定ストッパを備え、前記挿入片は展示機能ユニットの挿入
舌の挿入固定孔へ挿入されて固定を行うか、或いはもう一つの挿入片と相互に嵌合固定さ
れ、前記固定ボックスの孔には展示機能ユニットの挿入舌が嵌入され、前記挿入舌は前記
主板の対応する孔を貫通し、前記主板の組合せ面から突出し、もう一つの挿入片が前記挿
入舌の挿入固定孔に嵌合固定され、前記固定ストッパの挿入舌はもう一つの主板の対応す
る孔および前記固定ボックスの孔に挿入され、もう一つの挿入片が前記挿入舌の挿入固定
孔に嵌合固定されることを特徴とする上記（２）記載の組合せ式展示棚の構造。
【００１３】
（６）固定ユニットは、一つ以上の挿入片および一つ以上の固定板を備え、前記挿入片は
展示機能ユニットの挿入舌の挿入固定孔へ挿入されて固定を行い、前記固定板は前記展示
棚の構造の上方または底部へ嵌入されることを特徴とする上記（２）記載の組合せ式展示
棚の構造。
【００１４】
（７）前記固定ユニットは、一つ以上の挿入片を備え、前記挿入片は展示機能ユニットの
挿入孔に挿入されて固定を行うことを特徴とする上記（２）記載の組合せ式展示棚の構造
。
【００１５】
（８）前記主板には、通線孔が設けられ、前記通線孔には電源コードが挿通されることを
特徴とする上記（１）または（２）記載の組合せ式展示棚の構造。  
【考案の効果】
【００１６】
簡単に組立および分解ができるように、本考案の展示棚の構造では、直接挿入および抜
き取りができる固定ユニットが使用され、すでに接合された主板と展示機能ユニットとを
分離することができる。前述の装置によって、様々な陳列形式の展示棚に組み合わせるこ
とができ、例えば、図１、図３、図５、図７に示すように、固定ユニットを挿入すること
によって、主板と展示機能ユニットとを接合固定して展示棚の基本構造を組み立て、展示
棚の基本構造の主板の取り外し可能な折り曲げ面によって隣り合う展示棚の基本構造を接
続し、固定ユニットを挿入して接合固定することができる。
【００１７】
本考案の展示棚の構造は上述の機能以外に、主板、展示機能ユニットおよび固定ユニッ
トが取り外し可能になっているので、平面展開可能な形式となっており、積み重ねたり、
輸送したりするのに便利になっており、保管時の体積を少なくすることができる。
【考案を実施するための最良の形態】
【００１８】
本考案の目的、特徴および効果を示す実施例を図に沿って詳細に説明する。図１は、本
考案の片面展示型の実施例を示す斜視図である。図２は、本考案の片面展示型の実施例を
示す立体分解図である。図８は、本考案の主板組合せ面のＴ型挿入片の組合せ状態を示す
模式図である。図９は、本考案の固定ユニットの組合せ状態を示す模式図である。
【００１９】
数個の孔１１が設けられた主板１０と、主板１０の対応する孔１１に挿入することがで
きる数個の挿入舌２１が設けられた展示機能ユニット２０と、すでに接合された主板１０
と展示機能ユニット２０とを挿入固定し、展示棚の基本構造を構成するか、或いはもう一
つの主板１０を挿入固定するのに使用される固定ユニット３０とを備える。
【００２０】
展示機能ユニット２０は挿入固定孔２１１を有する挿入舌２１、取り外し可能な低テー
ブル２２１、長尺の掛設用板２６２および側板２４から構成される。順番に、全ての挿入
舌２１を第１の主板１０の展示面１４から対応する孔１１に貫通させ、第１の主板１０の
組合せ面１５から突出させる。固定ユニット３０のＴ型挿入片３１１を側板２４以外の主
板１０の組合せ面１５から突出した全ての挿入舌２１の挿入固定孔２１１に挿入し、すで
に接合された第１の主板１０と展示機能ユニット２０とを固定し、展示棚の基本構造を形
成する。
【００２１】
図２に示すように、固定ユニット３０の固定ボックス３２の孔３２１を全ての第１の主
板１０の組合せ面１５から突出した側板２４の挿入舌２１上に嵌入し、挿入舌２１を固定
ボックス３２の内面３２２から突出させる。
【００２２】
第２の主板１０の組合せ面１５と固定ボックス３２とを合わせ、その孔１１、３２１を
お互いに対応させ、さらに固定ストッパ３３の挿入舌３３１を対応する孔１１、３２１に
挿入し、固定ボックス３２の内面３２２から突出させる。
【００２３】
第１および第２の主板１０の折り曲げ面１３のお互いに対応する孔１１、３２１から固
定ユニット３０のＣ型挿入片３１２を挿入し、第１および第２の主板１０の組合せ面１５
の上部、組立孔１２および底部からそれぞれ固定ユニット３０のＢ型挿入片３１３を挿入
して固定ユニット３０のＣ型挿入片３１２を嵌合固定する。
【００２４】
固定ユニット３０のＴ型挿入片３１１を固定ボックス３２の内面３２２から突出する挿
入舌２１、３３１の挿入固定孔２１１、３３１１に挿入して第１および第２の主板１０を
固定する。
【００２５】
図３は、本考案の両面展示型の実施例を示す斜視図であり、図４は、本考案の両面展示
型の実施例を示す立体分解図である。数個の孔１１が設けられた一組の主板１０と、主板
１０の対応する孔１１に挿入することができる数個の挿入舌２１が設けられた一組の展示
機能ユニット２０と、すでに接合された主板１０と展示機能ユニット２０とを挿入固定し
、展示棚の基本構造を構成するか、或いはもう一つの主板１０を挿入固定するのに使用さ
れる固定ユニット３０とを備える。
【００２６】
展示機能ユニット２０は挿入固定孔２１１を有する挿入舌２１、取り外し可能な低テー
ブル２２１、大型棚板２３３、中型棚板２３２、小型棚板２３１および側板２４から構成
される。順番に、全ての挿入舌２１を第１の主板１０の展示面１４から対応する孔１１に
貫通させ、第１の主板１０の組合せ面１５から突出させ、固定ユニット３０のＴ型挿入片
３１１を側板２４以外の主板１０の組合せ面１５から突出した全ての挿入舌２１の挿入固
定孔２１１に挿入し、すでに接合された第１の主板１０と展示機能ユニット２０とを固定
し、展示棚の基本構造を形成する。
【００２７】
固定ユニット３０の固定ボックス３２の孔３２１を第１の主板１０の組合せ面１５から
突出した全ての側板２４の挿入舌２１上に嵌入し、挿入舌２１を固定ボックス３２の内面
３２２から突出させる。第２の展示棚の基本構造の第２の展示機能ユニット２０の挿入舌
２１を固定ボックス３２の対応する孔１１、３２１に嵌入する。
【００２８】
第１および第２の主板１０の折り曲げ面１３のお互いに対応する孔１１、３２１から固
定ユニット３０のＣ型挿入片３１２を挿入し、第１および第２の主板１０の組合せ面１５
の上部、組立孔１２および底部からそれぞれ固定ユニット３０のＢ型挿入片３１３を挿入
して固定ユニット３０のＣ型挿入片３１２を嵌合固定する。
【００２９】
固定ユニット３０のＴ型挿入片３１１を固定ボックス３２の内面３２２から突出する挿
入舌２１の挿入固定孔２１１に挿入して第１および第２の展示棚の基本構造を固定する（
図９を参照）。
【００３０】
図５は、本考案の四面展示型の実施例を示す斜視図であり、図６は、本考案の四面展示
型の実施例を示す立体分解図である。数個の孔１１が設けられた一組の主板１０と、主板
１０の対応する孔１１に挿入することができる数個の挿入舌２１が設けられた展示機能ユ
ニット２０と、すでに接合された主板１０と展示機能ユニット２０とを挿入固定し、展示
棚の基本構造を構成するか、或いはもう一つの主板１０を挿入固定するのに使用される固
定ユニット３０とを備える。主板１０の通線孔１６は電源コードを通すのに使用される。
【００３１】
展示機能ユニット２０は挿入固定孔２１１を有する挿入舌２１、取り外し可能な高テー
ブル２２２、ポスター板２５、および側板２４から構成される。順番に、全ての挿入舌２
１を第１の主板１０の展示面１４から対応する孔１１に貫通させ、第１の主板１０の組合
せ面１５から突出させる。
【００３２】
固定ユニット３０のＴ型挿入片３１１を側板２４の垂直側の挿入舌２１以外の全ての第
１の主板１０の組合せ面１５から突出した挿入舌２１の挿入固定孔２１１に挿入し、すで
に接合された第１の主板１０と展示機能ユニット２０とを固定し、第１の展示棚の基本構
造を形成する。
【００３３】
第１の主板１０の折り曲げ面１３の対応する孔１１に第２の展示棚の基本構造の第２の
主板１０の組合せ面１５から突出した側板２４の垂直側挿入舌２１を嵌入し、固定ユニッ
ト３０のＴ型挿入片３１１を挿入舌２１の挿入固定孔２１１に挿入し、第１および第２の
展示棚の基本構造を固定する。
【００３４】
図１０、図１１、図１２に示すように、同一の方式で第２と第３の展示棚の基本構造、
第３と第４の展示棚の基本構造および第４と第１の展示棚の基本構造を接合する。最後に
固定ユニット３０のＴ型挿入片３１１を全てのＴ型挿入片３１１が挿入されていない側板
２４の垂直側挿入舌２１の挿入固定孔２１１上に挿入固定し、四個のすでに接合された展
示棚の基本構造の上方と底部とに固定板３４を設置し、全体の展示棚の基本構造を固定す
る。
【００３５】
その他の二面を越える展示型の実施例は、四面展示型の実施例の組合せ方式を利用する
ことによって達成させる。
【００３６】
以上の詳細な説明は本考案の好適な一実施例を示したものであり、本考案の実施範囲を
制限するものではない。本考案の実用新案登録請求の範囲に基づく変更および修飾はすべ
て本考案に含まれ、本考案の主旨を変更しない実施例もすべて本考案の実用新案登録請求
の範囲に属する。
【図面の簡単な説明】
【００３７】
【図１】本考案の片面展示型の実施例を示す斜視図である。
【図２】本考案の片面展示型の実施例を示す立体分解図である。
【図３】本考案の両面展示型の実施例を示す斜視図である。
【図４】本考案の両面展示型の実施例を示す立体分解図である。
【図５】本考案の四面展示型の実施例を示す斜視図である。
【図６】本考案の四面展示型の実施例を示す立体分解図である。
【図７】本考案の横列展示型の実施例を示す斜視図である。
【図８】本考案の主板組合せ面のＴ型挿入片の組合せ状態を示す模式図である。
【図９】本考案の固定ユニットの組合せ状態を示す模式図である。
【図１０】本考案の主板を接合する前の斜視図である。
【図１１】本考案の主板を接合した後（Ｔ型挿入片は未挿入）の状態を示す斜視図である。
【図１２】本考案の主板を接合した後（Ｔ型挿入片をすでに挿入）の状態を示す斜視図である。
【図１３】従来技術による展示棚の構造を示す斜視図である。
【符号の説明】
【００３８】
１０  主板
１１  孔
１２  組立孔
１３  折り曲げ面
１４  展示面
１５  組合せ面
１６  通線孔
２０  展示機能ユニット
２１  挿入舌
２１１  挿入固定孔
２２  テーブル
２２１  低テーブル
２２２  高テーブル
２３  棚板
２３１  小型棚板
２３２  中型棚板
２３３  大型棚板
２４  側板
２５  ポスター板
２６２  長尺の掛設用板
３０  固定ユニット
３１  挿入片
３１１  Ｔ型挿入片
３１２  Ｃ型挿入片
３１３  Ｂ型挿入片
３２  固定ボックス
３２１  孔
３２２  内面
３３  固定ストッパ
３３１  挿入舌
３３１１  挿入固定孔
３４  固定板
【図１】
0003128994.tif 000003
【図２】
0003128994.tif 000004
【図３】
0003128994.tif 000005
【図４】
0003128994.tif 000006
【図５】
0003128994.tif 000007
【図６】
0003128994.tif 000008
【図７】
0003128994.tif 000009
【図８】
0003128994.tif 000010
【図９】
0003128994.tif 000011
【図１０】
0003128994.tif 000012
【図１１】
0003128994.tif 000013
【図１２】
0003128994.tif 000014
【図１３】
0003128994.tif 000015